(57)【特許請求の範囲】
【請求項１】
河川に設置される護岸ブロックの一部に組付けられる横長形状の魚礁ブロック本体を備え、
当該魚礁ブロック本体は、前面に開口部を有し、内部に河川の上流側から流水を導入しかつ配置物を配置して水生生物の棲み処となる空間を形成し、前面の開口部は、連通孔を備える蓋部がボルトにより取り付けられ、蓋部には河川の流水を上流側から内部に導入する導水路および内部から河川の下流側に導出する導出路をそれぞれ設けてなることを特徴とする河川の護岸用魚礁ブロック。
【請求項２】
魚礁ブロック本体の内部空間に流水ガイドブロックを配置し、当該流水ガイドブロックは、蓋部に設けた導水路から内部に導入される流水を導出路に案内するとともに、前部に流水環境を好む水生動物の棲み処空間を、背後によどみ環境を好む水生動物の棲み処空間をそれぞれ形成してなることを特徴とする請求項１記載の河川の護岸用魚礁ブロック。
【請求項３】
前記流水ガイドブロックが、蓋部の上流側に設けた導水路から蓋部の下流側に設けた導出路にかけて凹状に湾曲するガイド部と、ガイド部を保持する両側の保持部から構成されていることを特徴とする請求項２に記載の河川の護岸用魚礁ブロック。
【請求項４】
前記ガイド部に、前部の棲み処空間と背後の棲み処空間を互いに連通可能とする切欠部および／または穴を形成してなることを特徴とする請求項３に記載の河川の護岸用魚礁ブロック。
【請求項５】
魚礁ブロック本体の内部空間において、前部の棲み処空間および／または背後の棲み処空間に、砂、石、木材、水生植物、水辺の植物から選択される一または複数の配置物を配置したことを特徴とする請求項２ないし請求項４のいずれか一項に記載の河川の護岸用魚礁ブロック。
【請求項６】
魚礁ブロック本体の内部空間において、前部の棲み処空間および／または背後の棲み処空間に配置される配置物が、前記流水ガイドブロックの前面および／または魚礁ブロック本体の背板部の前面に取り付けられた固定部材によって保持されていることを特徴とする請求項２ないし請求項５のいずれか一項に記載の河川の護岸用魚礁ブロック。
【発明の詳細な説明】
【技術分野】
【０００１】
本発明は、河川の護岸ブロックの一部として設置可能な河川の護岸用魚礁ブロックに関する。
【背景技術】
【０００２】
魚礁ブロックは、魚類を住み着かせるために主に海底に設置されるブロックで、海底の地形やサンゴ礁周辺に天敵から身を守るために魚類が住み着く習性があることから、身を隠す場所がない海底に人工魚礁として設置するようにしたものである。
【０００３】
海底に設置する魚礁ブロックを河川の淡水魚の棲み処としてそのまま河川に設置することは難しい。我が国の河川は、急流が多く、大雨で川の水かさが増しやすく、また、住宅地よりも高い所を流れる川が少なくないという特徴があり、このため、我が国では河川の両側をコンクリートブロックや自然石で護岸し、また、高い堤防を築く等の対策を講じている。河川における淡水魚の棲み処への対策は後回しとなっている。
【０００４】
近年、河川の整備は、従来の治水・利水に加え、河川が本来有している生物の良好な生息・生育の環境を保全する取り組みが始まっている。このため、河川の護岸ブロックにも従来のコンクリートブロックに加え、水生植物を植栽可能とした緑化ブロック（特許文献１、４）、内部に空洞を設け生息・生育空間とした魚巣ブロック（特許文献２、３）等が提案されている。
【先行技術文献】
【特許文献】
【０００５】
【特許文献１】特開平１０−１７３７９号公報
【特許文献２】特開平８−２８４１２８号公報
【特許文献３】特開２００２−２９４６５９号公報
【特許文献４】特開２００８−１２７７９５号公報
【発明の概要】
【発明が解決しようとする課題】
【０００６】
特許文献１、４の緑化ブロックは、前者が人工湖沼等の水面に係留させるもので、後者が垂直な護岸に張り出して設置する特殊なもので、いずれも一般の河川に広く適用可能なブロックではない。特許文献２、３の魚巣ブロックは、魚の棲み処空間としては空間が狭く、内部を自由にレイアウトできる構造ではない。
【０００７】
本発明は、前記課題に鑑みてなされたもので、河川の護岸ブロックの一部として設置可能であり、河川の護岸壁に水生生物の種類に応じて最適な棲み処空間を創出することが可能な護岸用魚礁ブロックを提供すること、内部空間を自由にレイアウト可能な護岸用魚礁ブロックを提供することを目的とする。
【課題を解決するための手段】
【０００８】
上記課題を解決するために、本発明に係る河川の護岸用魚礁ブロックは、
河川に設置される護岸ブロックの一部に組付けられる横長形状の魚礁ブロック本体を備え、
当該魚礁ブロック本体は、前面に開口部を有し、内部に河川の上流側から流水を導入しかつ配置物を配置して水生生物の棲み処となる空間を形成し、前面の開口部は、連通孔を備える蓋部がボルトにより取り付けられ、蓋部には河川の流水を上流側から内部に導入する導水路および内部から河川の下流側に導出する導出路をそれぞれ設けてなることを第１の特徴とする。
【０００９】
本発明に係る河川の護岸用魚礁ブロックは、
魚礁ブロック本体の内部空間に流水ガイドブロックを配置し、当該流水ガイドブロックは、蓋部に設けた導水路から内部に導入される流水を導出路に案内するとともに、前部に流水環境を好む水生動物の棲み処空間を、背後によどみ環境を好む水生動物の棲み処空間をそれぞれ形成してなることを第２の特徴とする。
【００１０】
本発明に係る河川の護岸用魚礁ブロックは、
前記流水ガイドブロックが、蓋部の上流側に設けた導水路から蓋部の下流側に設けた導出路にかけて凹状に湾曲するガイド部と、ガイド部を保持する両側の保持部から構成されていることを第３の特徴とする。
【００１１】
本発明に係る河川の護岸用魚礁ブロックは、
前記ガイド部に、前部の棲み処空間と背後の棲み処空間を互いに連通可能とする切欠部および／または穴を形成してなることを第４の特徴とする。
【００１２】
本発明に係る河川の護岸用魚礁ブロックは、
魚礁ブロック本体の内部空間において、前部の棲み処空間および／または背後の棲み処空間に、砂、石、木材、水生植物、水辺の植物から選択される一または複数の配置物を配置したことを第５の特徴とする。
【００１３】
本発明に係る河川の護岸用魚礁ブロックは、
魚礁ブロック本体の内部空間において、前部の棲み処空間および／または背後の棲み処空間に配置される配置物が、前記流水ガイドブロックの前面および／または魚礁ブロック本体の背板部の前面に取り付けられた固定部材によって保持されていることを第６の特徴とする。  
【発明の効果】
【００１４】
以上説明したように、本発明によると、河川の護岸ブロックの一部として設置可能であり、河川の護岸壁に水生生物の種類に応じて最適な棲み処空間を創出することが可能な護岸用魚礁ブロックを提供できるという効果を奏する。
【００１５】
また、河川の種類や、河川に生息する生物の種類に応じて、内部空間を自由にレイアウト可能な護岸用魚礁ブロックを提供できるという効果を奏する。
【図面の簡単な説明】
【００１６】
【図１】本発明の護岸用魚礁ブロックを河川の護岸に設置した状態を示す縦断面図、
【図２】図１に示す護岸用魚礁ブロックの設置状態の水平断面図、
【図３】図１に示す護岸用魚礁ブロックの設置状態の正面図、
【図４】魚礁ブロック本体を示す図で（Ａ）は正面図、（Ｂ）は側面図、
【図５】魚礁ブロック本体を示す図で（Ａ）は縦断面図、（Ｂ）は流水ガイドブロックおよび蓋部を取り付けた状態を示す図、
【図６】蓋部を示す図で（Ａ）は正面図、（Ｂ）は平面図、（Ｃ）は側面図、
【図７】流水ガイドブロックを示す図で（Ａ）は平面図、（Ｂ）は正面図、（Ｃ）は側面図である。
【発明を実施するための最良の形態】
【００１７】
本発明を実施するための最良の形態について図面を参照しながら説明する。図１ないし図７は本発明の一実施形態を示すもので、これらの図において、符号１０は護岸用魚礁ブロックを示している。
【００１８】
図１ないし図３は護岸用魚礁ブロック１０の設置状態を示している。護岸用魚礁ブロック１０は、河川１の岸２の法面に護岸ブロックの一部として設置されるもので、護岸ブロックを構成する積ブロック３の設置区域Ｌの一部（下部）に組み込まれ、水面１ａから全部（または大部分）が没するように設置されている。図１に示すように岸２は上面に平坦部が形成され、後方に堤防４が築かれている。
【００１９】
護岸用魚礁ブロック１０は、左右の積ブロック３とともに、図１に示すように基礎材５および基礎コンクリート６の上面に設置され、積ブロック３の背面は裏込め材７が充填されている。
【００２０】
護岸用魚礁ブロック１０は、河川１の淡水魚Ｆの棲み処として、上述したように護岸ブロックの一部として設置するもので、魚礁ブロック本体１１を備えている。魚礁ブロック本体１１は、横長形状のコンクリート製で、図４（Ｂ）に示すように、天板部１１Ａと背板部１１Ｂと底板部１１Ｃと両側板部１１Ｄからなるブロック形状をしている。魚礁ブロック本体１１の前面の開口部は、後述するボルト１８により蓋部１２が取り付けられるようになっている。そして、魚礁ブロック本体１１の内部は、流水ガイドブロック１６により、淡水魚Ｆの棲み処となる空間Ｓ１（以下、前部棲み処空間Ｓ１という）と、よどみを好む水生生物（うなぎ等）の棲み処となるよどみ空間Ｓ２（以下、背後棲み処空間Ｓ２という）が形成されている。
【００２１】
図４（Ａ）（Ｂ）および図５（Ａ）に示すように、魚礁ブロック本体１１の前面には蓋部１２を設置する収容凹部１１aと中央の開口部１１ｂが設けられ、収容凹部１１ａの四隅にボルト孔１１ｃが穿孔されている。ボルト孔１１ｃには予めナットが取り付けられ、図５（Ｂ）に示すように、ボルト１８により、魚礁ブロック本体１１の収容凹部１１ａに蓋部１２を取付できるようになっている。
【００２２】
蓋部１２は、コンクリート製からなる平板状のもので、図１および図３に示すように、河川１の淡水魚Ｆが魚礁ブロック本体１１内部の前部棲み処空間Ｓ１と行き来できるように多数の連通孔１３（図示例は上下２段、横に６個）が設けられている。また、蓋部１２の両側部には、図２に示すように、河川１からの流水Ｗを魚礁ブロック本体１１内部に導入するための導水路１４および導水ガイド２０が、河川１の上流側に、内部に取り入れた流水Ｗを河川１に戻すための導出路１５および導出ガイド２１が、河川１の下流側に、それぞれ設けられている。導水ガイド２０および導水ガイド２１は両側の支持部材２０Ａ、２１Ａにより、蓋部１２に支持されている。
【００２３】
蓋部１２は、魚礁ブロック本体１１内部に入り込んだ浮遊ゴミを、漁礁ブロック本体１１の内部に導入された流水Ｗの自然流で外部に排出するための切欠状の浮遊ゴミ排出口１９が上面に設けられている。浮遊ゴミ排出口１９からは作業員が手作業で内部の浮遊ゴミを排出させることもできる。さらに、図６（Ａ）に示すように、蓋部１２の四隅にボルト孔１２ａが穿孔されている。
【００２４】
魚礁ブロック本体１１に対する蓋部１２の取付状態において、図２に示すように、蓋部１２の両側部の導水ガイド２０および導水ガイド２１は魚礁ブロック本体１１の前面から河川１側に突出しており、河川１の上流から流水Ｗが導水路１４を経由して内部の前部棲み処空間Ｓ１にスムーズに導入され、また、導出路１５を経由して内部の前部棲み処空間Ｓ１からスムーズに河川１に導出されるようになっている。
【００２５】
魚礁ブロック本体１１の内部には、流水ガイドブロック１６が配置されている。流水ガイドブロック１６は、蓋部１２に設けられた導水ガイド２０とともに河川１の流水Ｗを、導水路１４を経由し前部棲み処空間Ｓ１内にスムーズに案内し、また、前部棲み処空間Ｓ１内の水を導出路１５にスムーズに案内する役目をする。
【００２６】
流水ガイドブロック１６は、コンクリート製であり、図２に示すように、平面視して導水路１４の出口から導出路１５の入口にかけて内面が後方に凹状に湾曲するガイド部１６Ａと、ガイド部１６Ａを保持する両側の保持部１６Ｂから構成されている。
【００２７】
図７（Ａ）に示すように、流水ガイドブロック１６のガイド部１６Ａの内面には、水生植物、水辺の植物を前部棲み処空間Ｓ１に保持するための固定部材１７が複数か所（図示例は湾曲方向に３か所）取り付けられている。各固定部材１７は、支持部１７Ａとリング状保持部１７Ｂから構成され、図７（Ｂ）に示すように、高さ方向に複数か所（図示例は高さ方向に２か所）取り付けられている。
【００２８】
また、図７（Ｂ）に示すように、流水ガイドブロック１６のガイド部１６Ａの下端面に複数の切欠部１６ａが設けられ、また、ガイド部１６Ａの両端部寄りに穴１６ｂが設けられ、魚礁ブロック本体１１の内部の配置状態で、切欠部１６ａと穴１６ｂにより前部棲み処空間Ｓ１と背後のよどみ空間（背後棲み処空間）Ｓ２を互いに連通可能とし、切欠部１６ａと穴１６ｂを通して魚が往来できるようになっている。切欠部１６ａと穴１６ｂの大きさは水流を邪魔しない程度の数および大きさで設けられる。両側の保持部１６Ｂの高さは、魚礁ブロック本体１１の開口部１１ｂを通過できる高さに設定されている。さらに、ガイド部１６Ａの上面に、魚礁ブロック本体１１の内部の配置状態で背後のよどみ空間Ｓ２に入り込んだ浮遊ゴミを手作業等で排出するための切欠状の浮遊ゴミそうじ穴２２が上面に設けられている。
【００２９】
上記構成の流水ガイドブロック１６は、図１および図２に示すように、魚礁ブロック本体１１の内部配置状態において、固定部材１７により、複数の水生植物Ｔを前部棲み処空間Ｓ１の所定位置に保持可能である。固定部材１７は着脱可能であり、水生植物Ｔの大きさや配置場所にあわせて、適宜取付可能である。
【００３０】
流水ガイドブロック１６は、図２に示すように、ガイド部１６Ａの背後と魚礁ブロック本体１１の背板部１１Ｂとの間によどみ空間Ｓ２を形成でき、ガイド部１６Ａの下端面に設けた切欠部１６ａおよびその上の穴１６ｂ（図７（Ｂ）参照）から、よどみを好む水生生物（うなぎ等）をよどみ空間Ｓ２に導き、背後棲み処空間Ｓ２とすることが可能である。背後棲み処空間Ｓ２には、前部棲み処空間Ｓ１と同様に水生植物Ｔを配置可能であり、水生植物Ｔは魚礁ブロック本体１１の背板部１１Ｂの内面に取付けた固定部材１７により保持可能である。
【００３１】
次に、上記構成の護岸用魚礁ブロックの製造方法、設置方法および設置後の作用について述べる。
【００３２】
まず、護岸用魚礁ブロック１０は、魚礁ブロック本体１１、蓋部１２、流水ガイドブロック１６をそれぞれコンクリートによって一体成型により製造する。流水ガイドブロック１６、魚層ブロック本体１１には固定部材１７を取り付ける。
【００３３】
次に、製造された護岸用魚礁ブロック１０の各部材を河川１の岸２に搬送し、予め設置された基礎材５および基礎コンクリート６の上面に、積ブロック３とともに、魚礁ブロック本体１１を設置する。
【００３４】
次に、設置された魚礁ブロック本体１１の内部に、流水ガイドブロック１６を配置する。流水ガイドブロック１６は、魚礁ブロック本体１１の前方から、開口部１１ｂを経由して、両側の保持部１６Ｂを魚礁ブロック本体１１の内部に押し込みながら設置する。
【００３５】
次に、魚礁ブロック本体１１の内部に水生植物Ｔを設置し、水生植物Ｔは固定部材１７に保持させる。必要に応じて、水生植物Ｔの周囲に砂、石（栗石や砕石等）、木材を配置する。背後棲み処空間Ｓ２に設置する水生生物Ｔは、流水ガイドブロック１６の配置前に設置し、固定部材１７に保持させる。
【００３６】
次に、魚礁ブロック本体１１の開口部１１ｂに蓋部１２を取り付ける。蓋部１２は、魚礁ブロック本体１１の収容凹部１１ａに配置し、四隅のボルト孔１２ａ、１１ｃにボルト１８を挿入し、ボルト孔１１ｃ内部の既設ナットに締結する。
【００３７】
以上のようにして、護岸用魚礁ブロック１０の設置が完了し、護岸ブロックの施工が完了したら、河川１からの流水Ｗを導入する。
【００３８】
護岸用魚礁ブロック１０は、河川１に対し導水ガイド２０が大きく開いているので、河川１からの流水Ｗが導水口１４を経由して護岸用魚礁ブロック１０内部の前部棲み処空間Ｓ１に容易に導入される。導入された流水Ｗの多くは、流水ガイドブロック１６の内周面に沿って案内され、導出路１５を経由して導出ガイド２１に沿って河川１に戻される。
【００３９】
これにより、護岸用魚礁ブロック１０内部の前部棲み処空間Ｓ１は常時、よどみのない清らかな水が流れる環境が維持され、当該環境を好む水生動物、例えば鮎、メダカ、蛍等の生息空間を形成することができる。当該環境を好む水生動物は、蓋部１２に設けられた複数の孔１３を通じて、河川１から前部棲み処空間Ｓ１に移動し、水生植物Ｔの根本や周囲を棲み処とし、水生植物Ｔに卵を産み付けることができる。
【００４０】
また、導入された流水Ｗの一部は流水ガイドブロック１６の切欠部１６ａおよび穴１６ｂを通して背後のよどみ空間（背後棲み処空間）Ｓ２に導かれる。背後棲み処空間Ｓ２はよどみを好む水生生物、例えばうなぎ等の生息空間を形成することができる。
【００４１】
護岸用魚礁ブロック１０は、上に述べたように、よどみのない清らかな水が流れる環境が作られる前部棲み処空間Ｓ１と、よどみのある環境の背後棲み処空間Ｓ２を同時に作り出せるという特徴を有している。
【００４２】
護岸用魚礁ブロック１０は、内部に、水生植物Ｔだけでなく、砂、栗石等の石、木材、水辺の植物等を自由に配置することができ、また、河川１の状況（中流域、下流域、急流、緩流等）により、内部のレイアウトやデザイン変更を自由に行うことができる。
【００４３】
護岸用魚礁ブロック１０は、蓋部１２に浮遊ゴミ排出口１９を設けたので、内部への流水Ｗによる自然流により前部棲み処空間Ｓ１から浮遊ゴミが容易に排出され、また、作業者が手を使って排出口１９から内部の浮遊ゴミを撤去することもでき、これにより、前部棲み処空間Ｓ１をよどみのない清らかな水が流れる環境に常時維持することが可能である。また、流水ガイドブロック１６に浮遊ゴミそうじ穴２２を設けたので、背後棲み処空間Ｓ２に入り込む浮遊ゴミを手作業等により容易に取り除くことが可能である。
【００４４】
本実施形態の護岸用魚礁ブロック１０を護岸ブロックの一部に組み込むことにより、河川における水辺の魚類、虫類、植物の生息や成長を促すことができると同時に、台風や豪雨、大雨等の災害から河川の岸や堤防を守ることができる。
【００４５】
そして、本発明の実施によって、地球環境の維持、保全で危惧されている生態系、生物多様性の喪失に対して効果的に抗することが可能となる。
【００４６】
なお、本発明の実施にあたり、護岸用魚礁ブロックの施工は、各県等の土木施工標準に従い施工することができ、また、護岸用魚礁ブロックの各部の寸法や法面勾配は、周囲のブロック、周辺の環境・状況に合わせて強度を考慮し、決定することができる。
【００４７】
かくして、本発明によると、河川が本来有している水生生物の良好な生育および環境空間を確保しながら、災害から河川を守る護岸用魚礁ブロックを提供することができる。
【産業上の利用可能性】
【００４８】
本発明に係る護岸用魚礁ブロックは、護岸ブロックの一部として組み込み、河川に水生生物の良好な棲み処空間を提供する魚礁ブロックとして利用可能である。
【符号の説明】
【００４９】
１  河川
１ａ  水面
２  岸
３  積ブロック
４  堤防
５  基礎材
６  基礎コンクリート
７  裏込め材
１０  護岸用魚礁ブロック
１１  魚礁ブロック本体
１１Ａ  天板部
１１Ｂ  背板部
１１Ｃ  底板部
１１Ｄ  側板部
１１ａ  収容凹部
１１ｂ  開口部
１１ｃ，１２ａ  ボルト孔
１２  蓋部
１３  孔
１４  導水路
１５  導出路
１６  流水ガイドブロック
１６Ａ  ガイド部
１６Ｂ  保持部
１６ａ  切欠部
１６ｂ  穴
１７  固定部材
１７Ａ  支持部
１７Ｂ  リング状保持部
１８  ボルト
１９  浮遊ゴミ排出口
２０  導水ガイド
２０Ａ，２１Ａ  支持部材
２１  導出ガイド
２２  浮遊ゴミそうじ穴
Ｆ  淡水魚
Ｓ１，Ｓ２  棲み処空間
Ｔ  水生植物（配置物）
Ｗ  流水
【要約】
【課題】河川の護岸ブロックの一部として設置可能であり、水生生物の種類に応じて最適な棲み処空間を創出可能な護岸用魚礁ブロックを提供する。
【解決手段】河川1に設置される護岸ブロック3の一部に組付けられる横長形状の魚礁ブロック本体11を備える。魚礁ブロック本体11は、前面の開口部11bから流水ガイドブロック16を内部に配置し、開口部11bにはボルト18で蓋部12を取り付ける。流水ガイドブロック16は魚礁ブロック本体11の内部空間の前部に河川の上流側から流水を導入して流水環境を好む水生生物の棲み処空間S1を形成する。流水ガイドブロック16の背後にはよどみ環境を好む水生生物の棲み処空間S2を形成する。棲み処空間S1,S2には固定部材17により水生植物T等を配置する。蓋部12の上流側に河川の流水Wを内部に導入する導水路14および導水ガイド20、蓋部12の下流側に内部の水を河川の下流側に導出する導出路15および導出ガイド21を設ける。
【選択図】図１【図１】
0006853931.tif 000002
【図２】
0006853931.tif 000003
【図３】
0006853931.tif 000004
【図４】
0006853931.tif 000005
【図５】
0006853931.tif 000006
【図６】
0006853931.tif 000007
【図７】
0006853931.tif 000008